(57)【要約】【課題】取り忘れ通知を行い、ユーザによる印刷済み用紙の取り忘れを防止し、万一長時間取り忘れた場合にも排紙先を変更し、セキュリティを確保することを目的とする。【解決手段】少なくとも２つの排紙トレイと、ユーザに排紙情報を通知する通知手段と、所定時間ごとに印刷物の取り忘れを検知する検知手段と、取り忘れられた印刷物のユーザを特定するユーザ特定手段と、通知手段における通知回数をカウントするカウント手段と、カウント手段によるカウント回数が設定値になると印刷物の排紙先を別の排紙トレイへと変更し、ユーザ特定手段によって特定したユーザに通知を行う変更手段を備える。【選択図】図６
2009292055.tif 000002
【特許請求の範囲】
【請求項１】
少なくとも２つの排紙トレイと、
ユーザに排紙情報を通知する通知手段と、
所定時間ごとに印刷物の取り忘れを検知する検知手段と、
取り忘れられた印刷物のユーザを特定するユーザ特定手段と、
前記通知手段における通知回数をカウントするカウント手段と、
前記カウント手段によるカウント回数が設定値になると前記印刷物の排紙先を別の排紙トレイへと変更し、前記ユーザ特定手段によって特定したユーザに通知を行う変更手段を備えることを特徴とする画像形成装置。
【請求項２】
前記排紙トレイは、少なくとも１つがロック手段を有し、セキュリティ保護されていることを特徴とする請求項１記載の画像形成装置。
【請求項３】
前記ユーザ特定手段は、ＩＰアドレス、暗号、記号、インク種類、用紙に搭載されたＲＦＩＤのいずれかによって特定することを特徴とする請求項１又は２記載の画像形成装置。
【請求項４】
前記通知手段は、前記ユーザ特定手段によって特定したユーザのＰＣが起動してるか否かを検知するＰＣ起動検知手段を有し、前記ＰＣが起動していない場合には、前記カウント手段によるカウント回数によらず、Ｅ−Ｍａｉｌにて通知を行い、前記排紙先変更手段によって印刷物の排紙先を変更することを特徴とする請求項１から３のいずれか１項に記載の画像形成装置。
【請求項５】
前記通知回数及び排紙先変更手段による排紙先は、ユーザ毎に予め設定されていることを特徴とする請求項１から４のいずれか１項に記載の画像形成装置。
【請求項６】
前記検知手段によって印刷物の取り忘れがなかったと判断された場合には、印刷情報をクリアすることを特徴とする請求項１から５のいずれか１項に記載の画像形成装置。
【請求項７】
前記ユーザ特定手段は、印刷情報が複数ある場合には最初の１枚のみユーザ特定を行い、印刷要求枚数分を他の排紙トレイへ一時保存して、次の印刷情報のユーザの特定を行うことを特徴とする請求項１から６のいずれか１項に記載の画像形成装置。
【請求項８】
前記ユーザ特定手段は、ＡＤＦに予め備えられた読み取り手段によって特定を行うことを特徴とする請求項１から７のいずれか１項に記載の画像形成装置。
【請求項９】
前記変更手段は、前記カウント手段によるカウント回数が設定値になると、前記印刷物をベタ塗りすることを特徴とする請求項１から８のいずれか１項に記載の画像形成装置。
【請求項１０】
前記変更手段は、前記カウント手段によるカウント回数が設定値になると、前記印刷物をシュレッダー処理することを特徴とする請求項１から８のいずれか１項に記載の画像形成装置。
【発明の詳細な説明】
【技術分野】
【０００１】
本発明は、印刷済み用紙の取り忘れを防止するとともに、取り忘れた場合においてもセキュリティの高い文書の機密性を確保した画像形成装置に関する。
【背景技術】
【０００２】
学校や会社などでは、複数の人が１台の画像形成装置を使用することが多い。そのような状況下において、印刷要求をして出力を行っても、全ての印刷が完了するのを待つなどしてそのまま取りに行かず、印刷物が取り忘れられてしまうことがよくあり、例えば機密性の高い文書を出力した場合に長時間放置されるのは問題である。
【０００３】
このように出力後の用紙が排紙トレイに忘れさられたままになるのを防止するため、従来では、プリンタドライバによって、用紙引き取りを促すための印刷完了通知を行う。排紙トレイへ用紙検知センサを設けて、排紙トレイの用紙有無を検知し、ユーザへ用紙引き取り要求を行う。ブザーなどによって完了通知を行う。印刷用紙にＩＤチップを取り付け、ユーザを特定して、特定したユーザに通知を行うなどの方法が用いられていた。
【０００４】
しかしながら、このような従来技術においては、印刷完了通知後にユーザが確認ボタンを押すことですぐに取りに行かなくてもよく、ブザーなどの完了通知を用いた場合には、騒音扱いとなってしまい、一般的なオフィス環境には適さない。また、ＩＤチップ付の印刷用紙では専用用紙が必要であり、コスト面で問題がある。
【０００５】
そこで、例えば特許文献１では、ユーザ情報と排紙トレイ情報とを関連付けておき、記録紙が排紙されてから一定時間の間に取り除かれなかった場合において、出力指示を行ったユーザと取り忘れ回数とを対応付けて記憶し、各ユーザにおける取り忘れ回数が所定回数に達した場合に、該ユーザがさらに出力指示を行った場合には、警告メッセージを表示し、それでも取り忘れたユーザについては出力を拒否する管理方法について開示されている。
【特許文献１】特開２００７−１７１２５４号公報
【発明の開示】
【発明が解決しようとする課題】
【０００６】
しかしながら、取り忘れに対して警告を促し、取り忘れ防止を行うことはできるが、機密性の高い文書を出力した場合に、セキュリティを確保することはできない。
【０００７】
例えば、特許文献１において排紙先のトレイにパスワード入力などによるロックをかけておき、取り忘れが生じても他人に読まれないよう保護する方法も考えられるが、それでは出力後すぐに取りにいける場合にも、毎回パスワード入力が必要となってしまうため煩わしい。また、出力直後に取りにいけると思ってロックをかけなかったときに取り忘れてしまった場合には、機密性の高い文書が長時間セキュリティ保護の無い状態で放置されることになってしまう。
【０００８】
本発明は、上記問題点に鑑みてなされたものであり、ユーザによる印刷済み用紙の取り忘れを防止し、取り忘れた場合でもセキュリティを確保することを目的とする。
【課題を解決するための手段】
【０００９】
上記課題を解決するため、本発明における画像形成装置は、少なくとも２つの排紙トレイと、ユーザに排紙情報を通知する通知手段と、所定時間ごとに印刷物の取り忘れを検知する検知手段と、取り忘れられた印刷物のユーザを特定するユーザ特定手段と、通知手段における通知回数をカウントするカウント手段と、カウント手段によるカウント回数が設定値になると印刷物の排紙先を別の排紙トレイへと変更し、ユーザ特定手段によって特定したユーザに通知を行う変更手段を備えることを特徴とする。
【００１０】
排紙トレイは、少なくとも１つがロック手段を有し、セキュリティ保護されていることを特徴とする。
【００１１】
ユーザ特定手段は、ＩＰアドレス、暗号、記号、インク種類、用紙に搭載されたＲＦＩＤのいずれかによって特定することを特徴とする。
【００１２】
通知手段は、ユーザ特定手段によって特定したユーザのＰＣが起動してるか否かを検知するＰＣ起動検知手段を有し、ＰＣが起動していない場合には、カウント手段によるカウント回数によらず、Ｅ−Ｍａｉｌにて通知を行い、排紙先変更手段によって印刷物の排紙先を変更することを特徴とする。
【００１３】
通知回数及び排紙先変更手段による排紙先は、ユーザ毎に予め設定されていることを特徴とする。
【００１４】
検知手段によって印刷物の取り忘れがなかったと判断された場合には、印刷情報をクリアすることを特徴とする。
【００１５】
ユーザ特定手段は、印刷情報が複数ある場合には最初の１枚のみユーザ特定を行い、印刷要求枚数分を他の排紙トレイへ一時保存して、次の印刷情報のユーザの特定を行うことを特徴とする。
【００１６】
ユーザ特定手段は、ＡＤＦに予め備えられた読み取り手段によって特定を行うことを特徴とする。
【００１７】
変更手段は、カウント手段によるカウント回数が設定値になると、印刷物をベタ塗りすることを特徴とする。
【００１８】
変更手段は、カウント手段によるカウント回数が設定値になると、印刷物をシュレッダー処理することを特徴とする。
【発明の効果】
【００１９】
本発明により、所定回数取り忘れ通知を行った場合に印刷物を取り忘れていても、別の排紙トレイへと保存させることができるので、ユーザの取り忘れを防止とともに、セキュリティ文書の機密性を確保することが可能である。
【発明を実施するための最良の形態】
【００２０】
図１は、本発明の実施形態におけるＭＦＰ(マルチファンクションプリンタ)の概略図である。ＭＦＰは、ＡＤＦ（自動給紙装置）１、スキャナ２、プリンタ３を主構成として有する。
【００２１】
原稿の読取動作は、ＡＤＦ１の原稿台４、又はスキャナ２の原稿読取ガラス５上にセットされた原稿をランプ６によって光を照射し、その反射信号をＣＣＤ（Charge Coupled Device）やＣＩＳ（Contact Image Sensor）といったセンサで読み取る。
【００２２】
読み取られた信号はＡＦＥ（Analog Front End）と呼ばれるデバイス等でデジタル信号へと変換され、スキャナもしくはプリンタ側にある図示しないコントローラに送信される。送信されたスキャン信号（画像データ）はコントローラで画像処理によりプリンタ用画像データに変換され、ＰＣ（ディスプレイ）やプリンタエンジン（図示せず）等に送信される。プリンタエンジンでは、インクジェットの場合、レンダリング処理（画像データをヘッド転送順にデータを置き換える処理）が行われる。
【００２３】
用紙への印刷動作は、給紙トレイ１３から排出された印刷用紙１５が用紙搬送ベルト９へと送られ、用紙端センサ８によって印刷用紙の検知を行い、ヘッドを搭載したキャリッジ７が、印刷開始位置に移動すると、レンダリング処理を行った印字データがヘッドに転送され、印字開始となる。
【００２４】
印刷完了後、印刷用紙は第１の排紙トレイ１０へと排紙される。排紙された印刷用紙がユーザによって所定時間取り除かれない場合には、Ｐａｓｓｗｏｒｄ管理によって開閉が行われる第２の排紙トレイ１１、あるいは第３の排紙トレイ１２へと該印刷用紙は送られる。
【００２５】
Ｐａｓｓｗｏｒｄ管理される排紙トレイは、図示したように２つである必要は無く、１つだけであっても、複数設けられてもよい。また、Ｐａｓｓｗｏｒｄ管理されずとも、ユーザ識別のために用いても良い。
【００２６】
図２は、ＡＤＦによるスキャン印刷における搬送経路を示す図である。ＡＤＦの原稿台セットされた原稿は、矢印Ｉで示す経路にしたがって搬送され、読取面１７にて原稿の読み取りが行われる。読み取
ったデータは画像処理され、ヘッド転送データが作成される。
【００２７】
一方、印刷用紙は矢印IIで示す経路にしたがって、給紙トレイから搬送ベルトへと給紙され、印字し
ながら、第１の排紙トレイへと排紙される。
【００２８】
図３は、本発明の実施形態におけるＭＦＰの接続構成を示す図である。ＭＦＰは、図示するようにネットワークなどを介して、複数のユーザ（ＰＣ）と接続される。
【００２９】
ＭＦＰは、接続されているＰＣから印刷要求コマンドがネットワーク経由で送信された際に、ユーザを特定する。ユーザ特定は、ＰＣに割り当てられているＩＰアドレスにより行う。
【００３０】
特定した結果から印刷要求ページ数、印刷部数などをＭＦＰ内部のコントローラにあるメモリ領域に記憶し、印刷終了時には、ＭＦＰから要求を行ったＰＣに対して印刷終了通知を送信する。ユーザは、印刷終了通知を受け取った後に印刷物を回収すればよい。
【００３１】
図４は、本発明の実施形態におけるプリンタドライバの設定画面の一例を示す図である。ユーザは、印刷開始前に図示するような設定画面を用いてプリンタドライバに印刷条件を設定し、「ＯＫ」を選択すると印刷開始となる。
【００３２】
一般的には、用紙種設定、集約設定、拡大／縮小設定、印刷モード設定、カラー／モノクロ設定等が設定される。また、セキュリティ向上の為の不正コピー防止機能も設定可能である。
【００３３】
不正コピー抑止機能は、セキュリティレベルの高い機密文書などをプリンタにより印刷する際に用いられ、印刷後用紙をコピーすると地紋等が印刷される為、コピー文書の不正悪用を防止する機能である。
【００３４】
また、本発明の実施形態によれば、プリント時における機密性保持を目的として、セキュリティ通知のチェック項目が設けられる。これは、セキュリティレベルの高い文書を印刷する際に、ユーザは「セキュリティ通知」のチェックボックスにチェックを入れ、通知回数を設定することで、印刷要求を行ったユーザに対して、設定した回数取り忘れの通知を行い、規定回数通知しても取り忘れられている場合には、Ｐａｓｓｗｏｒｄ保護された排紙トレイへと印刷物を搬送し、万一、印刷物を取りにいけない状態にあって、長時間放置されても他人に読み取られることを防止することができる。
【００３５】
図５は、本発明の実施形態におけるユーザ識別情報の管理例である。ＭＦＰ内の第１のメモリ領域には、図のようなＩＰアドレスとユーザ、Ｐａｓｓｗｏｒｄを対応付けた表があらかじめ記憶される。なお、対応表の登録は、ＰＣからネットワーク経由で行ってもよいし、またＭＦＰの操作パネルから直接行ってもよい。
【００３６】
ユーザからの印刷要求コマンドに含まれるＩＰアドレスより、ユーザを特定し、前述の第１のメモリ領域とは別の第２のメモリ領域にページ数と部数を記憶する。同時に前述のプリンタドライバでのセキュリティ通知チェック有無を判断し、チェック有の場合は、Ｐａｓｓｗｏｒｄを第１のメモリから読み出し、第２のメモリへ書き込む。
【００３７】
図５は、３件の印刷要求状態を示し、Ｎｏ．１と３は、セキュリティ通知チェックを有効にした場合、Ｎｏ．２は、セキュリティ通知チェックが無効の場合を示す。
【００３８】
セキュリティ通知チェック有での印刷の場合、印刷時にユーザを特定する情報を記録媒体に印刷する。印刷様式は、ユーザ名、Ｅ−Ｍａｉｌアドレス、ＩＰアドレス等の判別可能なものであってもよいし、特定の暗号のようにすぐに判別できないものであってもよい。また、印刷位置によってユーザを特定できるようなものであってもよい。印刷色は、ブラックのような判別可能なもの、イエローのような判別しにくいもの、紫外線インクのような肉眼で判別できないものであってもよい。
【００３９】
一方、セキュリティ通知チェック無の場合は上記のような処理は必要としない。
【００４０】
セキュリティ通知チェック有のユーザ特定情報の付与に関する別の実施形態としては、ＲＦＩＤ（Radio Frequency Identification）付きの印刷用紙を使用することでも達成可能である。
【００４１】
印刷終了時のＭＦＰからユーザに対する印刷終了通知時において、ドライバ設定画面にてセキュリティ通知チェックをしなかった場合には、第２のメモリのデータからこの時点で要求を削除する。一方、セキュリティ通知チェックを選択している場合には、印刷物の取り忘れ検知を行うため、ここでは削除しない。
【００４２】
図６は、本発明の実施形態におけるセキュリティ通知チェックが有効であった場合における搬送経路を示す図である。
【００４３】
先ず、矢印Ａで示すようにユーザから印刷要求を受け、印刷用紙は給紙トレイから搬送ベルトへと送られ、印刷後、第１の排紙トレイへと排紙される。その際、ユーザ特定情報が上面に来るよう印字される。
【００４４】
印刷が完了し、第１の排紙トレイへと印刷用紙を排出すると、ユーザ（ＰＣ）に対し、印刷終了通知を送信し、プリンタドライバの設定画面にて予め設定されたセキュリティ通知回数から−１カウントダウンする。
【００４５】
一定時間経過後、第１の排紙トレイに該印刷用紙があるか否かの確認が行われる。その際、矢印Ｂの経路で示すようにユーザ特定情報が確認できるよう印刷用紙を一度プリンタ内に取り込む動作を行う。ここでは図示していないが、第１の排紙トレイ付近にはコロが設けられ、搬送モータを逆回転させることで用紙搬送ベルトが逆送し、用紙がプリンタ内に取り込まれる構造となっている。
【００４６】
ユーザ特定情報の確認は、ユーザ認識センサ１６によって行われ、ユーザ特定情報を読み取るとともに、取り忘れの有無を検知する。
【００４７】
この検知結果において、印刷用紙が検知されなかった場合には、第２のメモリ領域からユーザ印刷要求情報の削除を行う。一方、印刷用紙が残っていた場合には、ユーザ認識センサによりユーザ特定情報を読み込み、プリンタ内のコントローラでユーザを特定する。ユーザ特定後、Ｅ−ＭａｉｌやＰＣを利用して通知し、ユーザに引取り処理を促す。
【００４８】
なお、ユーザ認識センサは、ユーザ特定情報印刷時に使用されたインク種、色、印刷位置などによって変わるものとし、印刷位置による判別などは反射型センサのように低コストのもので実現できる。逆に紫外線インクであれば、紫外線センサが必要となるがシステムによるものとし、ここでは明記しない。
【００４９】
第２のメモリ領域の印刷要求情報が削除されず、更に一定時間経過した後には、同様の処理を行い、通知回数カウンタが０、すなわち設定回数分の通知が完了、あるいは印刷要求情報が削除されるまで繰り返す。
【００５０】
通知回数カウンタが０になった場合には、矢印Ｃに示す経路にしたがって第１の排紙トレイから第２、又は第３の排紙トレイへと印刷用紙を搬送する。
【００５１】
第２、第３の排紙トレイは、ユーザによって切替可能とし、一回目の排紙時に第２、第３の排紙トレイへと排紙させる構成であってもよい。
【００５２】
第２、第３の排紙トレイにおいて、Ｐａｓｓｗｏｒｄ保護がなされていた場合には、ユーザは引取り時にＭＦＰにユーザ識別の為Ｐａｓｓｗｏｒｄを送信し、引取りを行う。Ｐａｓｓｗｏｒｄ送信後、あるいは第２、第３の排紙トレイが開けられ引き取りが確認された場合には、第２のメモリ領域からユーザ印刷要求情報を削除する。なお、本実施形態は、ＳＦＰ／ＭＦＰにて実現可能な構成である。
【００５３】
図７は、複数ユーザによる取り忘れが発生した場合における搬送経路である。取り忘れ検知時において、複数ユーザによる引取り忘れが想定される場合、すなわちプリンタ内コントローラにて引取り未完了となっている印刷が複数ジョブある場合の搬送経路を示している。
【００５４】
図６と同様に、印刷要求後、Ｄの経路にて第１の排紙トレイへと搬送し、印刷要求を行ったユーザに対して印刷終了通知を送信し、メモリ内に記憶されている設定されたセキュリティ通知回数を１つ減らす。所定時間が経過すると、印刷物の取り忘れ有無の確認のため、プリンタ内へと取り込みを行う。
【００５５】
このユーザ情報特定時、引き取り澪完了の印刷ジョブが複数ある場合には、コントローラは、該当ユーザが出力する枚数を記憶しているので、該当ユーザ出力分の用紙に対して矢印Ｅの経路にしたがって、所定枚数分ユーザ特定せずに第２の排紙トレイへと搬送を行う。
【００５６】
印刷要求された所定枚数分の印刷物を第２の排紙トレイへと搬送した後は、次のユーザにおける印刷物となるので、該ユーザの第１の排紙トレイの取り忘れ有無の検知を行う。
【００５７】
このように、記憶されている印刷要求枚数にしたがって、毎回ユーザ特定を行わずに第２のトレイへと一時保存することにより、ユーザ特定にかかる時間を軽減することが可能となる。
【００５８】
矢印Ｅで示すユーザ特定経路は、設定回数分の通知が完了するまで、ユーザ認識センサと第２の排紙トレイとを往復する。
【００５９】
設定回数の通知が完了した後は、矢印Ｆで示す経路にしたがって第２の排紙トレイからユーザ認識センサを通過して第３の排紙トレイへと搬送する。ユーザ引取り方法については、図６の場合と同様である。
【００６０】
また、排紙トレイを複数持たない場合や、全ての排紙トレイがＰａｓｓｗｏｒｄ保護されていて煩わしい場合などには、第２の排紙トレイにて一時保存後、第１の排紙トレイに印刷物が無くなったことを確認したら、第２の排紙トレイへ一時保存していた印刷物を再び第１の排紙トレイへと戻し、これを設定回数通知を行うまで繰り返しても良い。
【００６１】
図８は、ＡＤＦ付のＭＦＰを用いた別の実施形態におけるセキュリティ通知チェックが有効である場合の搬送経路を示す図である。
【００６２】
これまでと同様に、印刷要求後、Ｇの経路にて第１の排紙トレイへと搬送を行い、印刷要求を行ったユーザに対して印刷終了通知を送信し、メモリ内に記憶されている設定されたセキュリティ通知回数を１つ減らす。所定時間が経過すると、印刷物の取り忘れ有無の確認のため、プリンタ内へと取り込みを行う。
【００６３】
本実施形態においては、矢印Ｈの経路にて印刷物を取り込み、ＡＤＦ下へ移動させる。図示していないが、第１の排紙トレイ付近にはコロを配し、搬送モータを逆回転させることで用紙搬送ベルトが逆送し、用紙がプリンタ内に取り込まれる構造となっている。取り込まれた用紙は、プリンタからＡＤＦへの搬送においてもコロ、搬送モータを使用する構造とする。
【００６４】
ＡＤＦ下へと搬送された印刷物は、矢印Ｉの経路にて原稿台へと往復移動しながら、ＣＣＤ等のセンサにより印刷物に設けられたユーザ特定情報を読み込み、プリンタ内のコントローラでユーザを特定する。特定したユーザに対してＥ−ＭａｉｌやＰＣを利用して通知し、ユーザに引き取り処理を促し、メモリ内の通知回数を１つ減らす。センサによって、取り忘れた印刷物が検知されなくなれば、メモリ内に記憶されている印刷要求情報の削除を行う。
【００６５】
印刷物の引き取りが行われない限り、一定時間毎に同様の処理を行い、通知回数カウンタが０になるまで繰り返す。通紙回数カウンタが０になる、すなわち設定回数分の通知が完了すると、矢印Ｊで示す経路にしたがって第２や第３の排紙トレイへと印刷物を移動させる。
【００６６】
ここでも第２、第３の排紙トレイは、ユーザによって切替可能とし、一回目の排紙時に第２、第３の排紙トレイへ排紙される構成であってもよい。第２、第３の排紙トレイにＰａｓｓｗｏｒｄ保護がなされていた場合には、ユーザは引取り時にＭＦＰにユーザ識別の為Ｐａｓｓｗｏｒｄを送信し、引取りを行う。Ｐａｓｓｗｏｒｄ受付後、あるいは排紙トレイが開けられ引き取りが完了した後は、第２のメモリ領域からユーザ印刷要求情報を削除する。
【００６７】
本実施形態によれば、ＡＤＦ付きのＭＦＰにおいて、取り忘れ有無を検知するための専用のセンサを追加することなく印刷物の取り忘れを検知可能である。また、複数ユーザによる取り忘れが想定される場合には、図７と同様に、第２の排紙トレイとＡＤＦとを用いて設定されたセキュリティ通知回数にしたがって往復動作を繰り返せば良い。
【００６８】
図９は、本発明の実施形態における画像形成装置のフローチャート図である。印刷要求を行うため、ドライバ設定画面から印刷開始前の設定を行う（ステップＳ１）。このとき、セキュリティ通知を有効にする場合には、その通知回数を設定する。セキュリティ通知が設定されたか否かの判断を行い（ステップＳ２）、チェックされていない場合には、第１の排紙トレイへと印刷物を搬送し（ステップＳ３）、ユーザ印刷情報を削除する（ステップＳ２１）。
【００６９】
一方、セキュリティ通知が有効に設定された場合には、排紙トレイの選択を行い、搬送を行った後（ステップＳ４）、印刷要求を行ったＰＣが起動しているかの判断を行う（ステップＳ５）。排紙トレイの選択は、予めユーザによって関連付けておいてもいいし、その都度設定を行っても良い。始めからＰａｓｓｗｏｒｄ保護された第２、第３の排紙トレイを選択することでよりセキュリティを向上させることが可能である。
【００７０】
このときに印刷要求を行ったＰＣが起動していなかった場合には、通知回数をクリアし（ステップＳ１３）、Ｅ−ｍａｉｌにて排紙先トレイ情報（第２ｏｒ第３）と引き取り要求を通知し、ステップＳ１９の処理を行う（ステップＳ１４）。一方、ＰＣが起動していれば、印刷物の引き取りを促すよう完了通知を行い、設定された通知回数から−１カウントダウンする（ステップＳ６）。
【００７１】
カウントダウンによって残り通知回数が０になったか、すなわち通知回数が１に設定されていか否かを判断する（ステップＳ７）。通知回数が０になった場合には、ステップＳ１８の処理へと進む。一方、通知回数が残っている場合には、予め定められた時間が経過したかをプリンタ内部コントローラによりチェックする（ステップＳ８）。
【００７２】
所定時間が経過したら、排紙トレイに印刷物の取り忘れがないかの検知を行うために、搬送ローラを逆回転する（ステップＳ９）。ここで、情報検知手段であるセンサなどによって印刷物が検知されたか否かを判断する（ステップＳ１０）。ユーザによって印刷物が引き取られており、センサに検知されなければステップ２１の処理へと進む。一方、印刷物が取り忘れられており、センサに検知された場合には、ユーザ情報検知手段を用いてユーザの特定を行う（ステップＳ１１）。
【００７３】
特定したユーザのＰＣが起動中であるか否かを確認し（ステップＳ１２）、ユーザのＰＣが起動していなかった、あるいは通信できないような状態であれば、ユーザ通知回数をクリアして（ステップＳ１３）、Ｅ−ｍａｉｌにて排紙先トレイ情報（第２ｏｒ第３）と引き取り要求を通知し（ステップＳ１４）、ステップＳ１９の処理へと進む。一方、ＰＣが起動していれば、通知回数を−１カウントダウンし（ステップＳ１５）、残り通知回数が０か否かを判断する（ステップＳ１６）。
【００７４】
通知回数が０ではない、すなわち通知回数がまだ残っていればプリンタドライバにてユーザに引き取り要求と残りユーザ通知回数とを通知し（ステップＳ１７）、ステップＳ８の処理へと戻る。一方、通知回数が０、すなわち残っていなければプリンタドライバにてユーザに排紙先トレイ情報（第２ｏｒ第３）と引き取り要求を通知し（ステップＳ１８）、選択された排紙トレイ（第２ｏｒ第３）へ印刷物を搬送する（ステップＳ１９）。
【００７５】
ユーザは、搬送された排紙トレイにセキュリティロックがかけられていれば、ＰＣあるいは操作パネルからＰａｓｓｗｏｒｄを入力し、引き取り処理を行う（ステップＳ２０）。プリンタ内コントローラに記憶されているユーザ印刷情報をクリアし、終了となる（ステップＳ２１）。
【００７６】
本実施形態においては、残りユーザ通知回数がなくなった場合に排紙先を変更するものとしているが、インクベタ塗り、あるいはシュレッダーなどを用いて裁断処理を行い、セキュリティを確保する手段を利用してもよい。
【００７７】
以上、本発明の好適な実施の形態により本発明を説明した。ここでは特定の具体例を示して本発明を説明したが、特許請求の範囲に定義された本発明の広範囲な趣旨および範囲から逸脱することなく、これら具体例に様々な修正および変更が可能である。
【図面の簡単な説明】
【００７８】
【図１】本発明の実施形態に係る画像形成装置の構成図である。
【図２】画像形成装置の搬送経路を示すである。
【図３】画像形成装置の接続形態を示す図である。
【図４】プリンタドライバの設定画面における一例を示す図である。
【図５】ユーザ識別情報管理における一例を示す図である。
【図６】本発明の実施形態に係る画像形成装置における搬送経路を示す図である。
【図７】本発明の他の実施形態に係る画像形成装置における搬送経路を示す図である。
【図８】本発明の他の実施形態に係る画像形成装置における搬送経路を示す図である。
【図９】本発明の実施形態に係る画像形成装置のフローチャート図である。
【符号の説明】
【００７９】
１    ＡＤＦ
２    スキャナ
３    プリンタ
４    原稿台
５    原稿読み取りガラス
６    ランプ
７    キャリッジ
８    用紙端センサ
９    用紙搬送ベルト
１０    第１の排紙トレイ
１１    第２の排紙トレイ
１２    第３の排紙トレイ
１３    給紙トレイ
【図１】
2009292055.tif 000003
【図２】
2009292055.tif 000004
【図３】
2009292055.tif 000005
【図４】
2009292055.tif 000006
【図５】
2009292055.tif 000007
【図６】
2009292055.tif 000008
【図７】
2009292055.tif 000009
【図８】
2009292055.tif 000010
【図９】
2009292055.tif 000011